(57)【特許請求の範囲】
【請求項１】
平版印刷版の支持体となる長尺の金属ウエブを連続的に送り出すウエブ送出部と、
前記ウエブ送出部から送り出された金属ウエブを所定の搬送方向に沿って搬送するウエブ搬送手段と、
前記ウエブ搬送手段により搬送されている金属ウエブを連続的に電解処理する電解処理部と、
前記搬送方向に沿って前記電解処理部の下流側に配置され、前記ウエブ搬送手段により搬送されている金属ウエブの表面に塗液を塗布して塗膜層を連続的に形成する塗布部と、
前記搬送方向に沿って前記電解処理部と前記塗布部との間に配置され、金属ウエブに接して該ウエブをグランド電位に維持されているフレームグランド部に接地させるアース部材と、
前記アース部材の上流側で金属ウエブをフレームグランド部に対して絶縁状態とする絶縁手段と、
を有することを特徴とする平版印刷版の製造装置。
【請求項２】
前記塗布部は、塗液に所定極性の電荷を付与して金属ウエブとの間に静電力を生じさせつつ、該塗液を金属ウエブに静電塗布することを特徴とする請求項１記載の平版印刷版の製造装置。
【請求項３】
請求項１又は２記載の平版印刷版の製造装置を用いて平版印刷版を製造する平版印刷版の製造方法であって、
前記塗布部により金属ウエブの表面に塗布層として少なくとも感光層を形成することを特徴とする平版印刷版の製造方法。
【発明の詳細な説明】
【０００１】
【発明の属する技術分野】
本発明は、平版印刷版の支持体となる長尺の金属ウエブに対して電解処理を含む各種の表面処理を連続的に行うと共に、表面処理されたウエブの表面に感光性塗布層等の塗膜を形成する平版印刷版の製造装置及び、この製造装置を用いた平版印刷版の製造方法に関するものである。
【０００２】
【従来の技術】
平版印刷版は、例えば、アルミニウム又はアルミニウムを主体とするアルミニウム合金を長尺の薄板状に圧延したアルミウエブを支持体とし、このアルミウエブに対して電解処理を含む各種の表面処理が行われた後、アルミウエブの表面に感光層等が形成されて製造される。
【０００３】
図３には上記のような平版印刷版を製造するための製造ラインの一例が示されている。この製造ライン７０の上流側には、アルミコイル１１からアルミウエブ１２を下流側へ送り出す送出装置１３が設置されている。製造ライン７０にはアルミウエブ１２の搬送経路に沿って複数の搬送ローラ（図示省略）が設けられ、アルミウエブ１２は複数の搬送ローラにより案内されつつ、これらの搬送ローラからの搬送力を受けて下流側へ走行する。
【０００４】
製造ライン７０には、送出装置１３の下流側にアルミウエブ１２の搬送経路に沿って上流側から順に複数台（図３では３台）の表面処理装置１４，１６，１８が配置されている。これらの表面処理装置１４，１６，１８は、アルミウエブ１２の表面に対して各種の表面処理をそれぞれ連続的に行う。これらの表面処理装置１４，１６，１８によりアルミウエブ１２の表面に対して脱脂処理、デスマット処理、機械的又は化学的な粗面化処理、中和処理等の各種の表面処理が適宜組み合わせて行われる。
【０００５】
製造ライン７０には、表面処理装置１８の下流側に陽極酸化装置２０が設置されている。陽極酸化装置２０は電解槽２２及び電源部２４を備え、電解槽２２内には硫酸、リン酸、蓚酸、クロム酸あるいはそれらの混酸等の電解液が貯えられている。電解槽２２の上流側には給電ローラ２６が配置され、電解槽２２内にはプレート状の電解電極２８が配置されている。
【０００６】
ここで、給電ローラ２６はアルミウエブ１２に接するように支持され、導電性のスリップリング、ケーブル等を介して電源部２４の正極に接続されている。また電解電極２８はブスバー、ケーブル等を介して電源部２４の負極に接続され、電解液中でアルミウエブ１２と対向するように支持されている。この陽極酸化装置２０では、アルミウエブ１２の搬送時に電解槽２２の電解液中で電解電極２８とアルミウエブ１２との間に電源部２４からの電流が流れる。これにより、電解槽２２内ではアルミウエブ１２の表面に陽極酸化現象により陽極酸化皮膜が形成される。
【０００７】
製造ライン１０には、陽極酸化装置２０の下流側にアルミウエブ１２に対する感光性塗液の塗布装置３０が設置されている。この塗布装置３０は、支持ローラ３１によりアルミウエブ１２の裏面側を支持しつつ、アルミウエブ１２の表面へ感光性塗液を塗布して感光層を形成する。塗布装置３０による感光性塗液の塗布方法としては、既に公知となっている種々の方法を用いることができる、例えば、バーコーター塗布、回転塗布、スプレー塗布、カーテン塗布、ディップ塗布、エアーナイフ塗布、ブレード塗布、ローラ塗布等の塗布方法を用いることができる。
【０００８】
製造ライン７０には、塗布装置３０の下流側にアルミウエブ１２に対するマット剤の静電塗布装置３２が設置されている。この静電塗布装置３２は、電源部３３により高圧静電圧が印加された電極間のイオン流によりマット剤に電荷を付与し、このマット剤を静電的にアルミウエブ１２に吸着させることにより、マット剤をアルミウエブ１２の表面へ塗布してマット層を形成する。
【０００９】
また製造ライン７０には、必要に応じて塗布装置３０の下流側に熱風乾燥装置等の乾燥装置が設けられる。この乾燥装置は、アルミウエブ１２及びアルミウエブ１２上に形成された感光層を加熱し、感光層に残留する有機溶媒等の揮発成分を揮発させ、感光層の硬化を促進させる。
【００１０】
以上のようにして平版印刷版への加工素材としてのウエブ３６の製造が完了し、このウエブ３６は巻取装置３４によりローラ状に巻き取られてウエブローラ３８とされる。このウエブローラ３８は、平版印刷版の加工ラインへ供給され、保護用合紙の貼り付け、製品サイズへの切断加工等がなされて製品としての平版印刷版が製造される。
【００１１】
【発明が解決しようとする課題】
上記の平版印刷版の製造ライン７０では、陽極酸化装置２０からの電流漏洩を防止するために、電解槽２２とフレームグランド部４０との間にゴム等の絶縁性材料からなる絶縁部材４２が配置されている。しかし、陽極酸化装置２０の電解槽２２が絶縁部材４２によりフレームグランド部４０から絶縁されていても、製造ライン７０における陽極酸化装置２０の上流側及び下流側に配置された各種装置とフレームグランド部４０との絶縁が不完全な場合には、陽極酸化装置２０の電源部２４からの電解電流ＩEの一部がアルミウエブ１２を伝わってフレームグランド部４０との絶縁が不完全な装置へ流れる。この電流は迷走電流となってフレームグランド部４０へ漏洩し、陽極酸化装置２０における正常な電流回路とは別のフレームグランド部４０を経由する漏洩回路が形成されてしまう。
【００１２】
ここで、例えば、塗布装置３０の支持ローラ３１及び表面処理装置１６がそれぞれ絶縁が不完全な場合、電源部２４の正極からの電解電流の一部が漏洩し、これが迷走電流ＩS1として給電ローラ２６、アルミウエブ１２、表面処理装置１６、フレームグランド部４０、支持ローラ３１、アルミウエブ１２及び電解電極２８、をそれぞれ経由して電源部２４の負極へ流れる。また、支持ローラ３１並びにアルミコイル１１〜送出装置１３及び送出装置１３〜フレームグランド部４０の絶縁がそれぞれ不完全である場合にも、電源部２４の正極からの電解電流の一部が迷走電流ＩS2として給電ローラ２６、アルミウエブ１２、アルミコイル１１、送出装置１３、フレームグランド部４０、支持ローラ３１、アルミウエブ１２及び電解電極２８をそれぞれ経由して電源部２４の負極へ流れる
上述した絶縁が不完全な装置１３，１６，３０は、実質的に絶縁抵抗Ｒを介してフレームグランド部４０に接続されていると見なすことができ、従って、アルミウエブ１２とフレームグランド部４０との間には迷走電流ＩS1,2に対応する電位差が発生する。また、アルミウエブ１２が塗布装置３０おけるフレーム部等のフレームグランド部４０へ接地された金属部品へ瞬間的に接触すると、その接触時の前後にアルミウエブ１２と金属部品との間に極めて幅が狭い空気層（微小ギャップ）が形成されることがある。このとき、アルミウエブ１２と金属部品との電位差が前記微小ギャップの絶縁破壊を生じさせる限界電位（スパーク発生電位）よりも高いと、アルミウエブ１２と金属部品との間にスパークが発生する。
【００１３】
一方、アルミウエブ１２上に形成される感光層は、光に対して高い反応性を有しており、スパークから放射される強い光を受けると化学変化が生じ、この化学変化した部分は、所謂、平版印刷版でのカブリと呼ばれる品質欠陥となってしまう。
【００１４】
また、陽極酸化装置２０の電源部２４からの電流出力は精度よく制御する必要がある。すなわち、電源部２４の電流出力が高すぎると、アルミウエブ１２に陽極酸化皮膜が局部的に過大に生成される現象、所謂、電解ヤケが生じ、また電流出力が適性値よりも低いと、アルミウエブ１２に生成される陽極酸化皮膜が不足して平版印刷版の耐刷性が不足するなどの問題が生じる。従って、電解電流ＩEの一部が迷走電流となってフレームグランド部４０へ漏洩すると、電源部２４からの電流出力を一定に制御しても、陽極酸化反応に寄与する電流が実質的に減少する。この結果、電解電流ＩEのフレームグランド部４０への漏洩時には、アルミウエブ１２に正常な陽極酸化皮膜を形成できず、このアルミウエブ１２を素材とする平版印刷版の品質が不安定になるという問題があった。
【００１５】
また、静電塗布装置３２よりも下流側の巻取装置３４から電流が漏洩している場合には、アルミウエブ１２とフレームグランド部４０との間には電位差が生じている。このような状態では、静電塗布装置３２により所定極性の電荷が付与されたマット剤を安定的にアルミウエブ１２へ付着できなくなり、アルミウエブ１２にマット剤を均一に塗布できなくなるおそれがある。
【００１６】
本発明の目的は、上記事実を考慮し、平版印刷版の品質低下の原因となる電解処理手段からフレームグランド部への電流漏洩を確実に防止できる平版印刷版の製造装置を提供することにある。
【００１７】
また本発明の他の目的は、上記事実を考慮し、電解処理手段からフレームグランド部への電流漏洩に起因する品質低下を防止できる平版印刷版を提供することにある。
【００１８】
【課題を解決するための手段】
上記請求項１記載の平版印刷版の製造装置によれば、アース部材が搬送方向に沿って電解処理部と塗布部との間に配置され、金属ウエブに接して該ウエブをグランド電位に維持されているフレームグランド部に接地させ、かつ絶縁手段がアース部材の上流側で金属ウエブをフレームグランド部に対して絶縁状態とすることにより、金属ウエブにおけるアース部材の下流側の部分がグランド電位と略等しい電位に維持されると共に、金属ウエブにおけるアース部材の上流側の部分では電解手段からの電解電流がフレームグランド部へ流れ出る迷走電流回路が形成されなくなるので、電解処理手段における電解電流が流れる正常な電流回路以外の電流回路が電解処理手段の上流側と下流側との間で形成されなくなる。
【００１９】
この結果、電解処理手段からの電解電流の一部が迷走電流となってフレームグランド部へ流れることを防止できるので、金属ウエブとフレームグランド部との間にスパーク発生を生じさせるような電位差が生じなくなると共に、電解反応に寄与する電解電流が実質的に減少して金属ウエブに対する電解反応が不安定になることを防止できる。
【００２０】
ここで、電解処理手段には、金属ウエブの表面を電気化学的に処理する各種の装置が含まれ、このような表面処理装置としては、例えば、陽極酸化装置、エッチング装置、粗面化処理装置等がある。
【００２１】
また、絶縁手段の構成は特定の構造及び方式に限定されるものではなく、各種の絶縁構造及び方式を適宜組み合わせることにより構成される。絶縁手段は金属ウエブをフレームグランド部から直接的に絶縁すること以外にも、金属ウエブをフレームグランド部と間接的に絶縁することも含めることができる。このとき、金属ウエブを直接的に絶縁するとは、例えば、金属ウエブを搬送する搬送ローラ等の金属ウエブと接触する部材の表面をゴム等の絶縁材料により形成することなどである。また金属ウエブを間接的に絶縁するとは、例えば、金属ウェブを処理するための処理が貯えられた処理槽が存在する場合には、処理槽を絶縁部材により絶縁することや、この処理層に接続された処理液供給配管、処理液ポンプ等をフレームグランド部から絶縁することなどである。
【００２２】
請求項２記載の平版印刷版の製造装置によれば、請求項１記載の構成において、塗布部が塗液に所定極性の電荷を付与して金属ウエブとの間に静電力を生じさせつつ、該塗液を金属ウエブに静電塗布することにより、金属ウエブにおけるアース部材の下流側の部分がグランド電位と略等しい電位に維持されるので、イオンにより所定極性の電荷が付与された塗液を安定した静電力により金属ウエブへ付着させ、塗液を金属ウエブの表面に塗布できる。この結果、金属ウエブの表面における塗液の塗りムラの発生を防止できると共に、塗液により形成された塗膜層の厚さを安定化できる。
【００２３】
請求項３記載の平版印刷版の製造方法によれば、請求項１又は２記載の平版印刷版の製造装置における塗布部により金属ウエブの表面に塗布層として少なくとも感光層を形成することにより、平版印刷版の支持体である金属ウエブ上に感光層を形成する際に、金属ウエブへのスパーク発生を防止できるので、平版印刷版におけるカブリ欠陥の発生を防止できると共に、金属ウエブの表面に対する電解処理を安定した条件下で行うことができるので、例えば、陽極酸化皮膜を金属ウエブの表面に均一の厚さで形成でき、平版印刷版の耐刷性等の品質を安定化できる。
【００２４】
【発明の実施の形態】
以下、本発明の実施の形態に係る平版印刷版の製造装置について図面を参照して説明する。
【００２５】
（実施形態の構成）
図１には本発明の実施形態に係る平版印刷版の製造ラインが示されている。なお、この平版印刷版の製造ライン１０において、図３に示される従来の製造ライン７０と同一構造とされた部材については同じ符号を付し、それらの部材についての詳細な説明を省略する。
【００２６】
本実施形態の製造ライン１０には、図１に示されるようにアルミウエブ１２の搬送経路に沿って電解槽２２と塗布装置３０との間にアースローラ４６が配置されている。このアースローラ４６はアルミウエブ１２の下面に一定の接触圧で接しており、アルミウエブ１２の下流側への移動に従って従動回転するアイドルローラとして構成されている。
【００２７】
アースローラ４６には、円柱状のローラ本体部及び、このローラ本体部の両端面からそれぞれ軸心に沿って突出する一対の軸部が設けられ、これら一対の軸部がそれぞれ軸受部材によってそれぞれ回転可能に支持されている。アースローラ４６の軸部には、導電性材料からなるスリップリング（図示省略）が嵌挿されており、このスリップリングはケーブル４８によってフレームグランド部４０に電気的に接続され、これらのスリップリング及びケーブル４８を介してアースローラ４６はフレームグランド部４０へ接地されている。またアースローラ４６の本体部は、例えば、銅合金により形成され、その外周面が導電性に優れたクロム合金、銅、銀等のメッキにより硬化処理されている。
【００２８】
ここで、アースローラ４６〜フレームグランド部４０間の接地抵抗は、可能なかぎる小さくすることが望ましく、本実施形態では特別第３種接地として１０Ω以下の接地抵抗となるように施工されている。またフレームグランド部４０は常にグランド電位（通常、０Ｖ）に維持されている。これにより、アルミウエブ１２におけるアースローラ４６との接触部の下流側の部分は、グランド電位と略等しい電位に維持される。またアースローラ４６は、塗布装置３０による塗布部でのアルミウエブ１２の電位を確実に下げるため、塗布装置３０に可能限り近接して設けることが望ましく、塗布装置３０が防爆構造体内に配置されている場合には、アースローラ４６を防爆構造体へ配置するようにしてもよい。
【００２９】
製造ライン１０には、図１に示されるように送出装置１３及び表面処理装置１４，１６，１８とフレームグランド部４０との間にそれぞれゴム等の絶縁性材料により形成された絶縁部材５０が配置されている。また表面処理装置１４，１６，１８がアルミウエブ１２の一部が浸漬される処理液を貯えた処理槽を有する場合には、このような処理槽は絶縁部材（図示省略）によりフレームグランド部４０から絶縁され、さらに処理槽が金属配管により貯液槽やポンプ等が接続されている場合には、これらもそれぞれ絶縁される。また製造ライン１０では、アースローラ４６より上流側に配置されているガイドローラ５４，５６（図２参照）の表層部がゴム等の絶縁性材料により形成され、これにより、ガイドローラ５４，５６はアルミウエブ１２を直接的に絶縁する構造となっている。
【００３０】
図２には本実施形態の平版印刷版の製造ラインにおける陽極酸化装置及びその前後の構成が示されている。前述したように陽極酸化装置２０の電解槽２２とフレームグランド部４０との間には絶縁部材５０が配置され、この絶縁部材５０により電解槽２２はフレームグランド部４０から絶縁されている。また電解槽２２の上方には、アルミウエブ１２の搬送方向に沿った両端部付近にそれぞれアルミウエブ１２を電解槽２２内へ案内するためのガイドローラ５４が配置され、電解槽２２の内部にはアルミウエブ１２を電解液中にて張力状態としつつ、上流側から下流側へ案内するための一対のガイドローラ５６が配置されている。これらのガイドローラ５４，５６は、ガイドローラ５４，５６自体が絶縁性材料により形成されており、これにより、フレームグランド部４０から絶縁されている。なお、ガイドローラ５４，５６を導電性材料により形成し、ガイドローラ５４，５６の軸受部とフレームグランド部４０との間に絶縁部材（図示省略）を配置してフレームグランド部４０から絶縁するようにしても良い。
【００３１】
陽極酸化装置２０には、図２に示されるように調整槽５８及び循環ポンプ６０が設けられると共に、電解槽２２、調整槽５８及び循環ポンプ６０を環状に接続する金属製の配管６２，６４が設けられている。ここで、調整槽５８及び循環ポンプ６０もそれぞれ絶縁部材５０によりフレームグランド部４０から絶縁され、配管６２，６４も、それぞれ電解槽２２〜調整槽５８、成分調整槽５８〜循環ポンプ６０、循環ポンプ６０〜電解槽２２間で絶縁部材５０を介して支持され、これらの絶縁部材５０によりフレームグランド部４０から絶縁されている。
【００３２】
（実施形態の作用）
次に、上記のように構成された本実施形態に係る平版印刷版の製造装置の作用について説明する。
【００３３】
製造ライン１０では、アースローラ４６がアルミウエブ１２の搬送方向に沿って陽極酸化装置２０と塗布装置２０との間に配置され、このアースローラ４６がアルミウエブ１２に接し、ケーブル４８を介してアルミウエブ１２をグランド電位に維持されているフレームグランド部４０に接地させている。さらに製造ライン１０ではアースローラ４６の上流側でアルミウエブ１２がフレームグランド部４０に対して絶縁状態となっている。これにより、アルミウエブ１２におけるアースローラ４６の下流側の部分が、フレームグランド部４０の電位であるグランド電位と略等しい電位に維持されると共に、アルミウエブ１２におけるアースローラ４６の上流側の部分では陽極酸化装置２０の電源部２４からの電解電流がフレームグランド部４０へ流れ出る迷走電流回路が形成されなくなるので、陽極酸化装置２０における電解電流ＩEが流れる正常な電流回路以外の迷走電流回路が陽極酸化装置２０の上流側と下流側との間で形成されなくなる。
【００３４】
この結果、陽極酸化装置２０からの電解電流の一部が迷走電流となってフレームグランド部４０へ流れることを防止できるので、アルミウエブ１２とフレームグランド部４０との間にスパーク発生を生じさせるような電位差が生じなくなると共に、陽極酸化反応に寄与する電解電流が実質的に減少してアルミウエブ１２に対する陽極酸化反応が不安定になることを防止できる。
【００３５】
また製造ライン１０では、アルミウエブ１２におけるアースローラ４６の下流側の部分が確実にグランド電位と略等しい電位に維持されていることから、静電塗布装置３２により所定極性の電荷を付与されたマット剤が安定した静電力によりアルミウエブ１２へ付着し、マット剤をアルミウエブ１２の表面に均一に静電塗布できる。この結果、アルミウエブ１２の表面におけるマット剤の塗りムラの発生を防止できると共に、マット剤により形成されたマット層の厚さを安定化できる。
【００３６】
従って、本実施形態に係る平版印刷版の製造ライン１０により平版印刷版の加工素材となるウエブ３６を製造することにより、アルミウエブ１２上に感光層を形成する際に、アルミウエブ１２へのスパーク発生を防止できるので、平版印刷版におけるカブリ欠陥の発生を防止できると共に、アルミウエブ１２の表面に対する陽極酸化装置を安定した条件下で行うことができるので、陽極酸化皮膜をアルミウエブ１２の表面に均一の厚さで形成し、平版印刷版の耐刷性等の品質を安定化できる。
【００３７】
なお、本発明に係る構成は、平版印刷版の加工素材となるウエブ３６の製造ライン１０以外にも、金属ウエブを連続的に電解処理する他の製造ラインであれば基本的にどのような製品を製造する製造ラインへも適用可能であり、このような製造ラインへ本発明に係る構成を適用することにより、電解処理の安定化、電解装置下流側での静電塗装の安定化等の効果を得ることができる。
【００３８】
また本実施形態に係る平版印刷版の製造ライン１０では、陽極酸化装置２０として、給電ロール２６をアルミウエブ１２へ接触させつつ、給電ロール２６からアルミウエブ１２へ電解電流を直接的に供給する、所謂直接給電方式のものを用いているが、本発明に係る構成は、電解槽の上流側に給電液が貯えられた給電槽及び前記電解液に浸漬するように支持された給電電極がそれぞれ設置され、前記給電電極が給電液を通してアルミウエブ１２へ電解電流を供給する、所謂液給電方式の陽極酸化装置を用いた平版印刷版の製造ラインへも適用可能であり、このような製造ラインへ本発明に係る構成を適用することによっても、電解処理の安定化、電解装置下流側での静電塗装の安定化等の効果を得ることができる。
【００３９】
【実施例】
次に、本発明に係る平版印刷版の製造ラインによる平版印刷版の製造方法についての実施例を説明する。
【００４０】
図１に示される製造ライン１０にて、厚み０．３０ｍｍ、幅１,０３０ｍｍ のアルミウエブ１２を表面処理装置１４，１６，１８により表面処理した後、処理長約１２ｍの陽極酸化装置２０において電源部２４により２１,８００Ａの直流電流を通電してアルミウエブ１２に対する陽極酸化処理を行い、塗布装置３０により感光性塗液をアルミウエブ１２の表面へ塗布し、平版印刷版への加工素材としてのウエブ３６を製造した。このとき、製造ライン１０のライン速度を５０ｍ/分に設定した。
【００４１】
上記の製造条件下で、アースローラ４６からフレームグランド部４０へ流れる接地電流の測定値は約１１Ａであった。この接地電流は電解電流の０．０５％程度という非常に小さいものであり、このときのアースローラ４６下流側でのアルミウエブ１２のの電位も０．１Ｖという非常に低い値となった。このことから、製造ライン１０では、陽極酸化装置２０の電源部２４からフレームグランド部４０へ迷走電流がほとんど流れず、陽極酸化反応を不安定にするような電解電流の変動が発生していないことを確認できた。またアースローラ４６下流でのアルミウエブ１２へのスパーク発生を長時間に亘って観察しても、アルミウエブ１２へのスパーク発生は皆無であり、平版印刷版にはスパーク発生に起因するカブリ欠陥も発生しなかった。
【００４２】
【発明の効果】
以上説明したように本発明の平版印刷版の製造装置によれば、平版印刷版の品質低下の原因となる電解処理手段からフレームグランド部への電流漏洩を確実に防止できる。
【００４３】
また本発明の平版印刷版の製造方法によれば、電解処理手段からフレームグランド部への電流漏洩に起因する平版印刷版の品質低下を防止できる。
【図面の簡単な説明】
【図１】  本発明の実施形態に係る平版印刷版の製造ラインの構成を示す模式的な側面図である。
【図２】  本発明の実施形態に係る平版印刷版の製造ラインにおける陽極酸化装置及びその前後の構成を示す模式的な側面図である。
【図３】  従来の平版印刷版の製造ラインの構成を示す模式的な側面図である。
【符号の説明】
１０      製造ライン（平版印刷版の製造装置）
１１      アルミコイル（金属ウエブ）
１２      アルミウエブ（金属ウエブ）
２０      陽極酸化装置（電解処理部）
２２      電解槽
２４      電源部
２６      給電ローラ
２８      電解電極
３０      塗布装置（塗布部）
３１      支持ローラ
３２      静電塗布装置（塗布部）
３３      電源部
３６      ウエブ（平版印刷版）
４０      フレームグランド部
４６      アースローラ（アース部材）
４８      ケーブル（アース部材）
５０      絶縁部材（絶縁手段）
【図１】
0004060519.tif 000002
【図２】
0004060519.tif 000003
【図３】
0004060519.tif 000004